(57)【要約】【課題】簡便な構造で固定ネジの損傷を防止するブラケットの収納構造を提供すること。【解決手段】機器１０と、機器１０に対してスライド可能に設けられたブラケット２０と、ブラケット２０を機器１０に固定する固定ネジ３０とを備え、機器１０は、スライド方向Ｘ１の手前側へのブラケット２０の移動を規制する第１ストッパ部１１と、スライド方向Ｘ１の奥側へのブラケット２０の移動を規制する第２ストッパ部１２と、固定ネジ３０を螺合させるネジ穴１３とを筐体の一面に有し、ブラケット２０は、第１ストッパ部１１に当接してスライド方向Ｘ１の手前側への移動を規制される第１被規制部２５と、第２ストッパ部１２に当接してスライド方向Ｘ１の奥側への移動を規制される第２被規制部２６と、スライド方向Ｘ１に沿って形成され固定ネジ３０の軸部３１を挿通させるスリット部２４とを有しているブラケットの収納構造。【選択図】図２
2012156319.tif 000002
【特許請求の範囲】
【請求項１】
機器と、前記機器に対してスライド可能に設けられたブラケットと、前記ブラケットを前記機器に固定する固定ネジとを備え、
前記機器は、スライド方向の手前側への前記ブラケットの移動を規制する第１ストッパ部と、前記第１ストッパ部より前記スライド方向の奥側に形成され前記スライド方向の奥側への前記ブラケットの移動を規制する第２ストッパ部と、前記固定ネジを螺合させるネジ穴とを筐体の一面に有し、
前記ブラケットは、前記第１ストッパ部に当接して前記スライド方向の手前側への移動を規制される第１被規制部と、前記第１被規制部より前記スライド方向の奥側に形成され前記第２ストッパ部に当接して前記スライド方向の奥側への移動を規制される第２被規制部と、前記スライド方向に沿って形成され前記固定ネジの軸部を挿通させるスリット部とを有していることを特徴とするブラケットの収納構造。
【請求項２】
前記機器の前記筐体の一面は、前記機器の底面であることを特徴とする請求項１に記載のブラケットの収納構造。
【請求項３】
前記スリット部は、前記第１ストッパ部と前記第１被規制部とが当接した状態で、前記スライド方向の奥側における前記固定ネジの前記軸部の周面が前記ブラケットに接触しない位置まで延びているとともに、前記第２ストッパ部と前記第２被規制部とが当接した状態で、前記スライド方向の手前側における前記固定ネジの前記軸部の周面が前記ブラケットに接触しない位置まで延びていることを特徴とする請求項１または請求項２に記載のブラケットの収納構造。
【請求項４】
前記ブラケットは、前記スライド方向の手前側に配置される第１部分と、前記第１部分から前記ブラケットの厚み方向に前記機器側へずれた状態で前記スライド方向の奥側に配置される第２部分と、前記第１部分及び前記第２部分を段差状に接続する段差部とを有し、
前記第１被規制部は、前記スライド方向における前記段差部の手前側の側面であり、
前記第２被規制部は、前記スライド方向における前記第２部分の奥側の側面であることを特徴とする請求項１乃至請求項３のいずれか１項に記載のブラケットの収納構造。
【請求項５】
前記スリット部は、前記第２部分に形成されていることを特徴とする請求項４に記載のブラケットの収納構造。
【請求項６】
前記スリット部は、長孔状に形成されていることを特徴とする請求項１乃至請求項５のいずれか１項に記載のブラケットの収納構造。
【請求項７】
前記機器は、前記機器の前記筐体の一面から突出形成され、前記スライド方向に直交する前記ブラケットの幅方向の両側から前記ブラケットにフック状にそれぞれ係合する一対のフック状の爪部を更に有していることを特徴とする請求項１乃至請求項６のいずれか１項に記載のブラケットの収納構造。
【請求項８】
前記機器は、前記スライド方向における前記第１ストッパ部及び前記第２ストッパ部の間の領域で、前記スライド方向に沿ってそれぞれ形成され相互に離間する一対のガイド部を更に有していることを特徴とする請求項１乃至請求項７のいずれか１項に記載のブラケットの収納構造。
【請求項９】
前記スライド方向に直交する前記ブラケットの幅方向における前記スリット部の幅は、前記ブラケットが前記ガイド部によりガイドされた状態で、前記幅方向における前記固定ネジの前記軸部の周面が前記スリット部の内縁に接触しない寸法で設定されていることを特徴とする請求項８に記載のブラケットの収納構造。
【発明の詳細な説明】
【技術分野】
【０００１】
本発明は、ブラケットの収納構造に関する。
【背景技術】
【０００２】
従来、筐体とアームとネジとを備え、アームに長孔を形成して当該長孔にネジを挿通させることにより、筐体の底面にアームをスライド可能に取り付けた筐体のスタンド機構が知られている（例えば、特許文献１参照。）。
【先行技術文献】
【特許文献】
【０００３】
【特許文献１】特開平６−３５０２６１号公報（図１１、図１２）
【発明の概要】
【発明が解決しようとする課題】
【０００４】
ところが、従来の筐体のスタンド機構では、アームをスライドさせた際に、長孔の内縁とネジの軸部とが接触するため、ネジに直接負荷がかかり、ネジの損傷が発生するという問題があった。
【０００５】
そこで、本発明は、従来の問題を解決するものであって、すなわち、本発明の目的は、簡便な構造で固定ネジの損傷を防止するブラケットの収納構造を提供することである。
【課題を解決するための手段】
【０００６】
本発明のブラケットの収納構造は、機器と、前記機器に対してスライド可能に設けられたブラケットと、前記ブラケットを前記機器に固定する固定ネジとを備え、前記機器は、スライド方向の手前側への前記ブラケットの移動を規制する第１ストッパ部と、前記第１ストッパ部より前記スライド方向の奥側に形成され前記スライド方向の奥側への前記ブラケットの移動を規制する第２ストッパ部と、前記固定ネジを螺合させるネジ穴とを筐体の一面に有し、前記ブラケットは、前記第１ストッパ部に当接して前記スライド方向の手前側への移動を規制される第１被規制部と、前記第１被規制部より前記スライド方向の奥側に形成され前記第２ストッパ部に当接して前記スライド方向の奥側への移動を規制される第２被規制部と、前記スライド方向に沿って形成され前記固定ネジの軸部を挿通させるスリット部とを有していることにより、前述した課題を解決したものである。
【発明の効果】
【０００７】
本発明では、機器の第１ストッパ部及び第２ストッパ部と、ブラケットの第１被規制部及び第２被規制部とから構成されるストッパ機構を設けていることにより、ブラケットをスライドさせた際に、固定ネジの軸部とブラケットとの接触を回避するため、固定ネジに直接負荷がかかることを防止し、固定ネジの損傷を防止できる。
【０００８】
また、機器の投影面積内にブラケットを収納することが可能であるため、機器設置スペースを削減でき、特に、機器の保管時における機器保管スペースを削減できる。
【０００９】
また、ブラケットをスライドさせる際に固定ネジを緩めることで、ブラケット及び固定ネジを取り外すことなく、ブラケットをスライドさせることが可能であるため、ブラケット及び固定ネジの紛失を防止できる。
【図面の簡単な説明】
【００１０】
【図１Ａ】本発明の一実施例であるブラケットの収納構造を示す斜視図であり、ブラケットを引き出した時の図である。
【図１Ｂ】本発明の一実施例であるブラケットの収納構造を示す斜視図であり、ブラケットを収納した時の図である。
【図２】ブラケット引出状態の機器底部側を一部拡大視して示す斜視図である。
【図３】ブラケット引出状態のブラケットの収納構造を示す説明図である。
【図４】ブラケット収納状態の機器底部側を一部拡大視して示す斜視図である。
【図５】ブラケット収納状態のブラケットの収納構造を示す説明図である。
【図６】ブラケット及び固定ネジを取り外した状態の機器底部を示す平面図、Ａ−Ａ線位置で矢印方向に断面視した説明図、及び、Ｂ−Ｂ線位置で矢印方向に断面視した説明図である。
【図７】ブラケットを示す上面図及び側面図である。
【発明を実施するための形態】
【００１１】
以下、本発明の一実施例であるブラケットの収納構造を図面に基づいて説明する。なお、図３、図５、及び図６においては、断面部にハッチングを施して示している。
【実施例】
【００１２】
本実施例におけるブラケット２０の収納構造は、図２等に示すように、機器１０と、機器１０の底面にスライド可能に取り付けられた一対のブラケット２０と、ブラケット２０を機器１０の底面に固定する一対の固定ネジ３０とを備えている。
【００１３】
本実施例においては、機器１０は、図１に示すように、電子機器の充電装置として構成されている。図１Ａは、ブラケットを引き出した時の図であり、図１Ｂは、ブラケットを収納した時の図である。なお、機器１０の具体的態様は、如何なるものであってもよい。
【００１４】
機器１０は、図２乃至図６に示すように、第１ストッパ部１１と、第２ストッパ部１２と、ネジ穴１３と、一対の爪部１４と、一対のガイド部１５と、一対の機器脚部１６とを底面側に有している。
【００１５】
第１ストッパ部１１は、図３に示すように、ブラケット２０を機器１０の投影面内から外部へ引き出して突出させた状態で、後述するブラケット２０に形成された段差部２３のスライド方向Ｘ１における手前側の側面に当接して、ブラケット２０をスライドさせるスライド方向Ｘ１の手前側へのブラケット２０の移動を規制するものである。本実施例では、機器１０の底面側に形成された角部のスライド方向Ｘ１の奥側の側面が、第１ストッパ部１１として機能している。なお、第１ストッパ部１１の具体的な態様としては、スライド方向Ｘ１の手前側へのブラケット２０の移動を規制するものであれば如何なるものでもよく、例えば、機器１０の底面から下方に向けて突出形成された突起であってもよい。
【００１６】
第２ストッパ部１２は、図５に示すように、ブラケット２０を機器１０の投影面内に移動させて収納した状態で、後述するブラケット２０の第２部分２２のスライド方向Ｘ１における奥側の端面に当接して、スライド方向Ｘ１の奥側へのブラケット２０の移動を規制するものである。本実施例では、第１ストッパ部１１よりスライド方向Ｘ１の奥側において機器１０の底面から下方に向けて突出形成された突起のスライド方向Ｘ１の手前側の側面が、第２ストッパ部１２として機能している。なお、第２ストッパ部１２の具体的な態様としては、スライド方向Ｘ１の奥側へのブラケット２０の移動を規制するものであれば如何なるものでもよい。
【００１７】
ネジ穴１３は、図３や図５に示すように、機器１０の底面側から固定ネジ３０を螺合させる穴である。ネジ穴１３は、スライド方向Ｘ１における第１ストッパ部１１及び第２ストッパ部１２の間に形成されている。
【００１８】
爪部１４は、図２乃至図６に示すように、第１ストッパ部１１よりスライド方向Ｘ１の手前側において機器１０の底面から下方に向けてそれぞれ突出形成され、スライド方向Ｘ１に直交するブラケット２０の幅方向Ｘ２の両側からブラケット２０の第１部分２１にフック状にそれぞれ係合するものである。爪部１４は、フック状に形成され、機器１０の底面から下方に向けて突出形成された第１爪部分１４ａと、第１爪部分１４ａの下端から幅方向Ｘ２側に向けて延出する第２爪部分１４ｂとを有している。爪部１４は、ブラケット２０のスライド時に、ブラケット２０（第１部分２１）をスライド方向Ｘ１にガイドする機能を担っている。また、爪部１４は、仮に固定ネジ３０をネジ穴１３から取り外した場合であっても、ブラケット２０を機器１０の底面側に保持する機能を担っている。本実施例においては、機器１０を設置面Ｍ上に設置した状態で、爪部１４（第２爪部分１４ｂ）は、設置面Ｍに接触しないように設計されている。
【００１９】
ガイド部１５は、図２乃至図６に示すように、スライド方向Ｘ１における第１ストッパ部１１及び第２ストッパ部１２の間の領域において、スライド方向Ｘ１に沿って、機器１０の底面に形成されている。一対のガイド部１５は、幅方向Ｘ２に相互に離間した位置に形成されている。ガイド部１５は、ブラケット２０のスライド時に、ブラケット２０（第２部分２２）をスライド方向Ｘ１にガイドする機能を担っている。また、ガイド部１５は、ブラケット２０のスライド時及び静止時に、幅方向Ｘ２におけるブラケット２０（第２部分２２）の移動を規制し、後述するブラケット２０のスリット部２４の内縁と固定ネジ３０の軸部３１とが幅方向Ｘ２に接触することを阻止し、固定ネジ３０に負荷が係ることを防止する機能を担っている。
【００２０】
機器脚部１６は、図２乃至図６に示すように、スライド方向Ｘ１の奥側において、機器１０の底面の幅方向Ｘ２の両側にそれぞれ形成されている。本実施例においては、機器１０を設置面Ｍに設置した状態で、一対の機器脚部１６と、後述する一対のブラケット２０のブラケット脚部２７とのみが設置面Ｍに接触するように構成されている。なお、本実施例では、機器脚部１６が２つ設けられているが、機器脚部１６の数量に制限はない。
【００２１】
ブラケット２０は、機器１０の底部の幅方向Ｘ２における両側にそれぞれ配置され、図２及び図３に示すように、機器１０の前方側に向けて機器１０の投影面内から外側に引き出されることにより、機器１０の転倒を防止するものであり、また、図４及び図５に示すように、未使用時には、機器１０の投影面内に少なくとも大部分を収納されるものである。
【００２２】
ブラケット２０は、図２乃至図５や図７に示すように、第１部分２１と、第２部分２２と、段差部２３と、スリット部２４と、第１被規制部２５と、第２被規制部２６と、ブラケット脚部２７とを有している。
【００２３】
第１部分２１は、図７に示すように、平坦状に形成され、機器１０に対するブラケット２０の取り付け時には、スライド方向Ｘ１の手前側に配置される。第２部分２２は、平坦状に形成され、第１部分２１から厚み方向Ｘ３にずれた状態で形成され、機器１０に対するブラケット２０の取り付け時には、スライド方向Ｘ１の奥側に配置される。本実施例においては、第１部分２１と第２部分２２とは、相互に平行になるように構成されている。段差部２３は、第１部分２１及び第２部分２２を段差状に接続している。第１部分２１と第２部分２２と段差部２３とは、平板状の板材を段差部２３の部分で折り曲げることにより成形されている。これにより、ブラケット２０の簡便な製造を実現できる。なお、第１部分２１と第２部分２２を溶接等で接合したものであってもよい。本実施例においては、第１部分２１と第２部分２２と段差部２３とは金属から成形されているが、その素材は樹脂等如何なるものでもよい。
【００２４】
スリット部２４は、図７に示すように、スライド方向Ｘ１に沿って形成され、ブラケット２０を厚み方向Ｘ３に貫通して、固定ネジ３０の軸部３１を挿通させる目的で形成されている。本実施例においては、スリット部２４は、第２部分２２に長孔状に形成されている。スリット部２４は、図２及び図３に示すように、第１ストッパ部１１と第１被規制部２５とが当接した状態で、スライド方向Ｘ１の奥側における固定ネジ３０の軸部３１の周面がスリット部２４の内縁に接触しない位置まで延びている。同様に、スリット部２４は、図４及び図５に示すように、第２ストッパ部１２と第２被規制部２６とが当接した状態で、スライド方向Ｘ１の手前側における固定ネジ３０の軸部３１の周面がスリット部２４の内縁に接触しない位置まで延びている。
【００２５】
なお、本実施例では、前述したように、スリット部２４が長孔状に形成されているが、スリット部２４の具体的態様はこれに限定されず、スリット部２４の具体的態様は、スライド方向Ｘ１におけるブラケット２０の移動距離よりもスライド方向Ｘ１に沿って長く設定され、ブラケット２０の引出時及び収納時のいずれにおいても、スライド方向Ｘ１における固定ネジ３０の軸部３１の周面がブラケット２０に接触しないように設計されたものであれば如何なるものでもよく、例えば、スリット部２４が第２部分２２のスライド方向Ｘ１の奥側の端面まで達していてもよく、また、スリット部２４が第１部分２１にまで達していてもよい。
【００２６】
また、幅方向Ｘ２におけるスリット部２４の幅寸法は、幅方向Ｘ２におけるブラケット２０の移動がガイド部１５により規制された状態で、幅方向Ｘ２における軸部３１の周面がスリット部２４の内縁に接触しないように設計されている。
【００２７】
第１被規制部２５は、図３等に示すように、第１ストッパ部１１に当接してスライド方向Ｘ１の手前側への移動を規制されるものである。本実施例においては、スライド方向Ｘ１における段差部２３の手前側の側面が、第１被規制部２５として機能している。なお、第１被規制部２５の具体的態様は、機器１０の底部の一部によりスライド方向Ｘ１の手前側への移動を規制されるものであれば如何なるものでもよく、例えば、ブラケット２０の上面（機器１０に対向するブラケット２０の側面）から上方に向けて突出形成された突起であってもよい。
【００２８】
第２被規制部２６は、図５等に示すように、第２ストッパ部１２に当接してスライド方向Ｘ１の奥側への移動を規制されるものである。本実施例においては、スライド方向Ｘ１における第２部分２２の奥側の端面が、第２被規制部２６として機能している。なお、第２被規制部２６の具体的態様は、機器１０の底部の一部によりスライド方向Ｘ１の奥側への移動を規制されるものであれば如何なるものでもよく、例えば、ブラケット２０の上面（機器１０に対向するブラケット２０の側面）から上方に向けて突出形成された突起であってもよく、また、第１被規制部２５と同様に、ブラケット２０のスライド方向Ｘ１の奥側にも段差部を設け、スライド方向Ｘ１における段差部の奥側の側面を第２被規制部２６として機能させてもよい。
【００２９】
ブラケット脚部２７は、図７等に示すように、第１部分２１の下面側に設けられ、機器１０を設置面Ｍに設置した状態で、設置面Ｍに接触するものである。本実施例においては、ブラケット脚部２７は、ゴム等の弾性体から成形されているが、ブラケット脚部２７の素材はこれに限定されず、樹脂や金属等の如何なるものでもよく、また、第１部分２１等と同じ素材から一体に成形されてもよい。また、本実施例においては、ブラケット脚部２７はほぼ円柱状に形成されているが、他の形状であってもよい。
【００３０】
幅方向Ｘ２におけるブラケット脚部２７の幅寸法（すなわち、本実施例においてはブラケット脚部２７の直径）は、図４に示すように、一対の爪部１４の第２爪部分１４ｂの相互間隔より小さく設定されている。これにより、機器１０に対するブラケット２０の取り付け時には、ブラケット脚部２７を形成した第１部分２１側を先頭にして、スライド方向Ｘ１の奥側から手前側に向けて一対の爪部１４間に第１部分２１を挿入することができる。また、スライド方向Ｘ１における第１部分２１の手前側の側面には、図７に示すように、円弧状にＲが付けられており、これにより、機器１０に対するブラケット２０の取り付け時に、一対の爪部１４間に第１部分２１を挿入し易くなる。
【００３１】
また、図４及び図５に示すように、ブラケット２０の収納時には、ブラケット脚部２７は、スライド方向Ｘ１の手前側の機器１０の筐体部分（図５において符号１７で示す部分）の下側近傍に配置される。これにより、ブラケット２０の収納時には、機器１０の重量が直接的にブラケット脚部２７にかかるため、ブラケット２０の弾性変形を回避できる。
【００３２】
固定ネジ３０は、図３や図５に示すように、外周面にネジ部を有しスリット部２４に挿通される軸部３１と、軸部３１の一端に連続形成されブラケット２０の下面側に配置される頭部３２とを有している。
【００３３】
図３や図５に示すように、ブラケット２０の下面と固定ネジ３０の頭部３２との間には、ワッシャ４０が介在している。ワッシャ４０は、ブラケット２０の収納時または引出時において、幅方向Ｘ２におけるスリット部２４の両外側に位置する第２部分２２に接触するだけでなく、図３に示すように、ブラケット２０の引出時において、スライド方向Ｘ１におけるスリット部２４の奥側に位置する第２部分２２に接触し、図５に示すように、ブラケット２０の収納時において、スライド方向Ｘ１におけるスリット部２４の手前側に位置する第２部分２２に接触するように、その寸法を設計されている。これにより、ブラケット２０とワッシャ４０との間の接触面積を大きく確保できる。
【００３４】
このようにして得られた本実施例のブラケット２０の収納構造では、機器１０の第１ストッパ部１１及び第２ストッパ部１２と、ブラケット２０の第１被規制部２５及び第２被規制部２６とから構成されるストッパ機構を設けていることにより、ブラケット２０の収納時及び引出時のいずれにおいても、固定ネジ３０の軸部３１とブラケット２０との接触を回避するため、固定ネジ３０に直接負荷がかかることを防止し、固定ネジ３０の損傷を防止できる。
【００３５】
また、機器１０の投影面積内にブラケット２０の少なくとも大部分を収納することが可能であるため、機器設置スペースを削減でき、特に、機器１０の保管時における機器保管スペースを削減できる。
【００３６】
また、固定ネジ３０を緩めることで、ブラケット２０及び固定ネジ３０を取り外すことなく、ブラケット２０をスライドさせることが可能であるため、ブラケット２０及び固定ネジ３０の紛失を防止できる。
【００３７】
また、機器１０に対するブラケット２０の取り付け構造が、固定ネジ３０を用いた簡便な構造であるため、機器構造が複雑になることを回避できる。
【００３８】
なお、上述した実施例では、機器の転倒防止を目的としてブラケットを機器の筐体の底面に取り付けているが、他の目的で機器の他の面（上面、もしくは側面）の一面にブラケットを取り付けてもよい。
【００３９】
また、上述した実施例では、２つのブラケットを設けているが、ブラケットの数量に制限はない。
【００４０】
また、上述した実施例では、ブラケットを機器の前方側に向けて引き出すように構成されているが、ブラケットを引き出す方向はこれに限定されず、また、複数のブラケットを異なる方向に向けて引き出すように構成してもよい。
【符号の説明】
【００４１】
１０    ・・・  機器
１１    ・・・  第１ストッパ部
１２    ・・・  第２ストッパ部
１３    ・・・  ネジ穴
１４    ・・・  爪部
１４ａ  ・・・  第１爪部分
１４ｂ  ・・・  第２爪部分
１５    ・・・  ガイド部
１６    ・・・  機器脚部
２０    ・・・  ブラケット
２１    ・・・  第１部分
２２    ・・・  第２部分
２３    ・・・  段差部
２４    ・・・  スリット部
２５    ・・・  第１被規制部
２６    ・・・  第２被規制部
２７    ・・・  ブラケット脚部
３０    ・・・  固定ネジ
３１    ・・・  軸部
３２    ・・・  頭部
４０    ・・・  ワッシャ
Ｘ１    ・・・  スライド方向
Ｘ２    ・・・  幅方向
Ｘ３    ・・・  厚み方向
Ｍ      ・・・  機器の設置面
【図１Ａ】
2012156319.tif 000003
【図１Ｂ】
2012156319.tif 000004
【図２】
2012156319.tif 000005
【図３】
2012156319.tif 000006
【図４】
2012156319.tif 000007
【図５】
2012156319.tif 000008
【図６】
2012156319.tif 000009
【図７】
2012156319.tif 000010
【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
機器と、前記機器に対してスライド可能に設けられたブラケットと、前記ブラケットを前記機器に固定する固定ネジとを備え、
前記機器は、スライド方向の手前側への前記ブラケットの移動を規制する第１ストッパ部と、前記第１ストッパ部より前記スライド方向の奥側に形成され前記スライド方向の奥側への前記ブラケットの移動を規制する第２ストッパ部と、前記固定ネジを螺合させるネジ穴とを筐体の一面に有し、
前記ブラケットは、前記第１ストッパ部に当接して前記スライド方向の手前側への移動を規制される第１被規制部と、前記第１被規制部より前記スライド方向の奥側に形成され前記第２ストッパ部に当接して前記スライド方向の奥側への移動を規制される第２被規制部と、前記スライド方向に沿って形成され前記固定ネジの軸部を挿通させるスリット部とを有していることを特徴とするブラケットの収納構造。
【請求項２】
前記機器の前記筐体の一面は、前記機器の底面であることを特徴とする請求項１に記載のブラケットの収納構造。
【請求項３】
前記スリット部は、前記第１ストッパ部と前記第１被規制部とが当接した状態で、前記スライド方向の奥側における前記固定ネジの前記軸部の周面が前記ブラケットに接触しない位置まで延びているとともに、前記第２ストッパ部と前記第２被規制部とが当接した状態で、前記スライド方向の手前側における前記固定ネジの前記軸部の周面が前記ブラケットに接触しない位置まで延びていることを特徴とする請求項１または請求項２に記載のブラケットの収納構造。
【請求項４】
前記ブラケットは、前記スライド方向の手前側に配置される第１部分と、前記第１部分から前記ブラケットの厚み方向に前記機器側へずれた状態で前記スライド方向の奥側に配置される第２部分と、前記第１部分及び前記第２部分を段差状に接続する段差部とを有し、
前記第１被規制部は、前記スライド方向における前記段差部の手前側の端面であり、
前記第２被規制部は、前記スライド方向における前記第２部分の奥側の端面であることを特徴とする請求項１乃至請求項３のいずれか１項に記載のブラケットの収納構造。
【請求項５】
前記スリット部は、前記第２部分に形成されていることを特徴とする請求項４に記載のブラケットの収納構造。
【請求項６】
前記スリット部は、長孔状に形成されていることを特徴とする請求項１乃至請求項５のいずれか１項に記載のブラケットの収納構造。
【請求項７】
前記機器は、前記機器の前記筐体の一面から突出形成され、前記スライド方向に直交する前記ブラケットの幅方向の両側から前記ブラケットにフック状にそれぞれ係合する一対のフック状の爪部を更に有していることを特徴とする請求項１乃至請求項６のいずれか１項に記載のブラケットの収納構造。
【請求項８】
前記機器は、前記スライド方向における前記第１ストッパ部及び前記第２ストッパ部の間の領域で、前記スライド方向に沿ってそれぞれ形成され相互に離間する一対のガイド部を更に有していることを特徴とする請求項１乃至請求項７のいずれか１項に記載のブラケットの収納構造。
【請求項９】
前記スライド方向に直交する前記ブラケットの幅方向における前記スリット部の幅は、前記ブラケットが前記ガイド部によりガイドされた状態で、前記幅方向における前記固定ネジの前記軸部の周面が前記スリット部の内縁に接触しない寸法で設定されていることを特徴とする請求項８に記載のブラケットの収納構造。
【手続補正２】
【補正対象書類名】明細書
【補正対象項目名】００１５
【補正方法】変更
【補正の内容】
【００１５】
第１ストッパ部１１は、図３に示すように、ブラケット２０を機器１０の投影面内から外部へ引き出して突出させた状態で、後述するブラケット２０に形成された段差部２３のスライド方向Ｘ１における手前側の端面に当接して、ブラケット２０をスライドさせるスライド方向Ｘ１の手前側へのブラケット２０の移動を規制するものである。本実施例では、機器１０の底面側に形成された角部のスライド方向Ｘ１の奥側の端面が、第１ストッパ部１１として機能している。なお、第１ストッパ部１１の具体的な態様としては、スライド方向Ｘ１の手前側へのブラケット２０の移動を規制するものであれば如何なるものでもよく、例えば、機器１０の底面から下方に向けて突出形成された突起であってもよい。
【手続補正３】
【補正対象書類名】明細書
【補正対象項目名】００１６
【補正方法】変更
【補正の内容】
【００１６】
第２ストッパ部１２は、図５に示すように、ブラケット２０を機器１０の投影面内に移動させて収納した状態で、後述するブラケット２０の第２部分２２のスライド方向Ｘ１における奥側の端面に当接して、スライド方向Ｘ１の奥側へのブラケット２０の移動を規制するものである。本実施例では、第１ストッパ部１１よりスライド方向Ｘ１の奥側において機器１０の底面から下方に向けて突出形成された突起のスライド方向Ｘ１の手前側の端面が、第２ストッパ部１２として機能している。なお、第２ストッパ部１２の具体的な態様としては、スライド方向Ｘ１の奥側へのブラケット２０の移動を規制するものであれば如何なるものでもよい。
【手続補正４】
【補正対象書類名】明細書
【補正対象項目名】００２７
【補正方法】変更
【補正の内容】
【００２７】
第１被規制部２５は、図３等に示すように、第１ストッパ部１１に当接してスライド方向Ｘ１の手前側への移動を規制されるものである。本実施例においては、スライド方向Ｘ１における段差部２３の手前側の端面が、第１被規制部２５として機能している。なお、第１被規制部２５の具体的態様は、機器１０の底部の一部によりスライド方向Ｘ１の手前側への移動を規制されるものであれば如何なるものでもよく、例えば、ブラケット２０の上面（機器１０に対向するブラケット２０の側面）から上方に向けて突出形成された突起であってもよい。
【手続補正５】
【補正対象書類名】明細書
【補正対象項目名】００２８
【補正方法】変更
【補正の内容】
【００２８】
第２被規制部２６は、図５等に示すように、第２ストッパ部１２に当接してスライド方向Ｘ１の奥側への移動を規制されるものである。本実施例においては、スライド方向Ｘ１における第２部分２２の奥側の端面が、第２被規制部２６として機能している。なお、第２被規制部２６の具体的態様は、機器１０の底部の一部によりスライド方向Ｘ１の奥側への移動を規制されるものであれば如何なるものでもよく、例えば、ブラケット２０の上面（機器１０に対向するブラケット２０の側面）から上方に向けて突出形成された突起であってもよく、また、第１被規制部２５と同様に、ブラケット２０のスライド方向Ｘ１の奥側にも段差部を設け、スライド方向Ｘ１における段差部の奥側の端面を第２被規制部２６として機能させてもよい。
【手続補正６】
【補正対象書類名】明細書
【補正対象項目名】００３０
【補正方法】変更
【補正の内容】
【００３０】
幅方向Ｘ２におけるブラケット脚部２７の幅寸法（すなわち、本実施例においてはブラケット脚部２７の直径）は、図４に示すように、一対の爪部１４の第２爪部分１４ｂの相互間隔より小さく設定されている。これにより、機器１０に対するブラケット２０の取り付け時には、ブラケット脚部２７を形成した第１部分２１側を先頭にして、スライド方向Ｘ１の奥側から手前側に向けて一対の爪部１４間に第１部分２１を挿入することができる。また、スライド方向Ｘ１における第１部分２１の手前側の端面には、図７に示すように、円弧状にＲが付けられており、これにより、機器１０に対するブラケット２０の取り付け時に、一対の爪部１４間に第１部分２１を挿入し易くなる。